(57)【要約】  呼吸空気をろ過するための鼻用装置は、細長い支持部材と、細長い支持部材のそれぞれの端部にそれぞれ配置された１つまたは２つの丸みのあるホルダ部材とを有している。ホルダ部材は、遠位端部が鼻孔内に向けられ、近位端部が鼻孔開口に隣接する状態で鼻孔内へ挿入されるように適応されている。ホルダ部材は、遠位−近位延びにおける少なくとも１つの平面内でベル形の横断面を有している。
2020519421.tif 000002
【特許請求の範囲】
【請求項１】
鼻用装置（１，３１，４１，５１，６１，７１，８１）であって、
細長い支持部材（２，３２，４２，５２，６２，７２，８２）と、
１つまたは２つの丸みのあるホルダ部材（３，３３，４３，５３，６３，７３，８３）であって、各ホルダ部材は、前記細長い支持部材（２，３２，４２，５２，６２，７２，８２）のそれぞれの端部に配置されており、前記ホルダ部材（３，３３，４３，５３，６３，７３，８３）は、遠位端部が鼻孔に向けられ、近位端部が鼻孔開口に隣接する状態で前記鼻孔内へ挿入されるように適応されている、ホルダ部材と、
を備える鼻用装置において、
前記ホルダ部材（３，３３，４３，５３，６３，７３，８３）は、ワンピースで形成されておりかつ可撓性材料から形成されており、
前記ホルダ部材（３，３３，４３，５３，６３，７３，８３）は、それぞれ、遠位−近位延びにおける少なくとも１つの平面内にベル形の横断面を有しており、
前記ホルダ部材（３，３３，４３，５３，６３，７３，８３）は、それぞれ、
丸みのある遠位部分（５）と、
開放した近位部分（７）であって、該近位部分（７）の外周に沿って周方向に配置されかつ前記ホルダ部材（３，３３，４３，５３，６３，７３，８３）から半径方向外方へ延びる外側リム（８，３８，４８，５８，６８，７８，８８）を有する、開放した近位部分（７）と、
前記遠位部分（５）と前記近位部分（７）との間に配置された中間ウェスト部分（９）であって、該中間部分（９）は、遠位−近位方向に対して本質的に横方向の平面内に少なくとも１つの外周を有しており、該外周は、少なくとも前記遠位部分（５）のそれぞれの最大外周よりも小さい、中間ウェスト部分（９）と、を有し、
前記近位部分（７）の前記外周の周囲に周方向に配置された前記外側リム（８，３８，４８，５８，６８，７８，８８）は、前記鼻用装置が鼻孔内に配置されたときに前記鼻孔開口と係合しかつ前記鼻孔から外方へ突出するように適応されている
ことを特徴とする、鼻用装置（１，３１，４１，５１，６１，７１，８１）。
【請求項２】
前記中間部分（９）の前記外周は、それぞれの前記遠位部分（５）および前記近位部分（７）のそれぞれの最大外周よりも小さい、請求項１記載の鼻用装置。
【請求項３】
前記ホルダ部材（３，３３，４３，５３，６３，７３，８３）は、遠位−近位延びに対して本質的に横方向の平面内で略長円形または楕円形である、請求項１または２記載の鼻用装置。
【請求項４】
前記丸みのある遠位部分（５）には、空気が前記遠位部分（５）を通過することを可能にするように適応された１つまたは複数の貫通孔（６，３６，４６，５６，６６，８６）が設けられている、請求項１から３までのいずれか１項記載の鼻用装置。
【請求項５】
前記丸みのある遠位部分（５）には、空気が前記遠位部分（５）を通過することを可能にするように適応された複数の貫通孔（６，３６，４６，５６）が設けられており、前記遠位部分（５）における前記複数の孔（６，３６，４６，５６）は、ハニカムパターンを形成している、請求項１から４までのいずれか１項記載の鼻用装置。
【請求項６】
前記支持部材（２，３２，４２，５２，６２，７２，８２）の長さが調節可能である、請求項１から５までのいずれか１項記載の鼻用装置。
【請求項７】
前記ホルダ部材（３，３３，４３，５３，６３，７３，８３）は、前記支持部材（２，３２，４２，５２，６２，７２，８２）と一体化されている、請求項１から６までのいずれか１項記載の鼻用装置。
【請求項８】
前記外側リム（５８）の延長部は、前記支持部材（５２）を形成している、請求項７記載の鼻用装置。
【請求項９】
フィルタ部材（２０，２１，２６）をさらに備え、該フィルタ部材（２０，２１，２６）は、少なくとも空気が遠位方向に流れるとき、前記鼻用装置を通過する本質的に全ての空気が前記フィルタ部材（２０，２１，２６）を通るように方向付けられるように、前記遠位部分（５）または前記中間部分（９）の内側に配置されている、請求項１から８までのいずれか１項記載の鼻用装置。
【請求項１０】
前記フィルタ部材（２０，２１）は、前記中間部分（９）において半径方向内方へ延びる内周リム（２４）によって適所に保持されている、請求項９記載の鼻用装置。
【請求項１１】
前記フィルタ部材（２０，２１）は、アタッチメント部材によって適所に保持されている、請求項９または１０記載の鼻用装置。
【請求項１２】
前記フィルタ部材（２０，２１，２６）は、前記ホルダ部材に一体に取り付けられている、請求項９記載の鼻用装置。
【請求項１３】
前記ホルダ部材の前記遠位部分（５）は、さらに、遠位−近位延びに対して本質的に垂直な方向に配置された１つまたは複数の貫通アクセス孔（１００）を有する、請求項９または１２記載の鼻用装置。
【請求項１４】
前記フィルタ部材（２０，２１，２６）は、静電フィルタである、請求項９から１３までのいずれか１項記載の鼻用装置。
【請求項１５】
前記フィルタ部材（２０，２１，２６）は、機械式フィルタである、請求項９から１３までのいずれか１項記載の鼻用装置。
【請求項１６】
前記鼻用装置は、該鼻用装置の少なくとも一部の表面の材料に分散されたまたは該表面に配置された放出可能な物質を含む、請求項１から１５までのいずれか１項記載の鼻用装置。
【請求項１７】
鼻用装置を製造する方法であって、
鼻用装置（１，３１，４１，５１，６１，７１，８１）の形状に適応された型（２００）であって、前記鼻用装置は、細長い支持部材（２，３２，４２，５２，６２，７２，８２）と、１つまたは２つの丸みのあるホルダ部材（３，３３，４３，５３，６３，７３，８３）とを備え、各ホルダ部材は、前記細長い支持部材のそれぞれの端部に配置されており、前記ホルダ部材は、遠位端部が鼻孔内へ方向付けられ、近位端部が鼻孔開口に隣接する状態で前記鼻孔内へ挿入されるように適応されており、前記ホルダ部材は、丸みのある遠位部分（５）と、開放した近位部分（７）と、前記遠位部分（５）と前記近位部分（７）との間に配置された中間ウェスト部分（９）とを有する、型（２００）を提供するステップと、
前記型に１つまたは２つのフィルタ部材（２０，２１，２６）を配置するステップと、
前記フィルタ部材が前記鼻用装置と一体化されるように、前記型に材料を充填することによって鼻用装置を形成するステップと、
を含む、鼻用装置を製造する方法。
【請求項１８】
前記型に前記材料を充填する前に、前記型に、前記フィルタ部材（２６）の遠位にかつ該フィルタ部材（２６）に隣接して、空所成形部材（２００ｃ）が提供され、該空所充填部材（２００ｃ）は、前記型を充填した後に除去され、これにより、前記フィルタ部材（２６）と前記丸みのある遠位部分（５）との間に空所（１０１）が形成される、請求項１７記載の方法。
【発明の詳細な説明】
【技術分野】
【０００１】
本発明は、独立請求項の前段による鼻用装置に関する。
【背景技術】
【０００２】
多くの環境および状況において、我々が呼吸する空気を浄化、ろ過および／または脱臭することができる必要がある。例えば、ヘルスケア、軍事的作業などにおいて悪臭を除去することが望ましい多くの状況が存在する。その他の状況では、我々が呼吸する空気中のほこり、花粉、ガス、スモッグ、臭いまたはその他の有害なかつ／または刺激性の粒子を除去するためにフィルタが使用されることがある。フェイスマスクからマウスカバーおよび鼻用プラグまで、多くのタイプの呼吸またはろ過装置が存在する。これらの多くは、かさ張り、不快であり、外見を変えるという点で見た目が悪い。さらに、しばしばこのような装置は、空気漏れのために効果的でない傾向がある。
【０００３】
鼻用ほこりフィルタの一例が米国特許第４２００１５０号明細書に記載されている。米国特許第４２００１５０号明細書は、鼻通路内に挿入されかつ中隔壁に張力を加えるクリップによって適所に保持されるように適応された鼻用フィルタを開示している。フィルタは、カバーされた外面を備える一対の傘型の円形カップを備えている。
【０００４】
別の例は、米国特許第７２０７３３３号明細書に示されており、この明細書には、鼻孔内に挿入されることが予定されたストッパのような端部を備える鼻用クリップが開示されている。一実施形態では、各ストッパは、中心軸によって接続された一対の円形のフィルタを有している。
【０００５】
米国特許出願公開第２０１６／０２５６７１５号明細書は、空気をろ過するためのさらに別のタイプの鼻用プラグを開示している。装置は、フリップリッドを備える内側および外側のプラグと、それらの間に挟まれたフィルタと、鼻用クリップとを備えている。中国実用新案第２０４２４６７０６号明細書は、フィルタを保持するための内側溝を有するカップ形フレームを備える鼻用プラグを示している。
【０００６】
空気をろ過するための別の鼻用プラグは、米国特許出願公開第２０１５／０１８２７６６号明細書に示されており、この場合、空気ろ過装置は、凹面−凸面状のまたは平坦なフィルタを備える２つの環状またはカップ形の支持構造を有しており、支持構造は、鼻孔内に挿入されることが予定されておりかつブリッジによって接続されている。
【０００７】
本発明の発明者らは、改良された密着性および使用性能を提供する改良された鼻用装置の必要性を認識した。公知の鼻用プラグの多くは、プラグと鼻孔の内面との間の摩擦に起因する刺激および不快感を発生させる。その他は、各鼻用プラグの周囲の空気流に対するシーリングの点で効果的でない傾向があり、このため、空気をろ過、案内および妨害する点で装置を効果的でないものにしている。
【発明の概要】
【発明が解決しようとする課題】
【０００８】
本発明の目的は、着用が快適でありかつ使用時に外観において分離している鼻用装置を提供することである。
【０００９】
本発明の別の目的は、使用者の鼻孔に確実に密着する鼻用装置を提供することである。本開示のさらに別の目的は、鼻孔を刺激するリスクが最小限である鼻用装置を提供することである。
【００１０】
本発明の別の目的は、フィルタが設けられている場合、鼻を通過する空気の有効なろ過を提供し、花粉、ほこり、スモッグなどをろ過するなど、異なるタイプの状況のために使用可能である鼻用装置を提供することである。さらに、Ｐ４１７０６０２５ＥＰ００の別の目的は、製造の点で費用対効果の高い鼻用装置を提供することである。
【課題を解決するための手段】
【００１１】
上述の目的は、独立請求項に係る本発明によって達成される。
【００１２】
好ましい実施形態は、従属請求項に記載されている。
【００１３】
本発明によれば、呼吸空気をろ過するための鼻用装置は、細長い支持部材と、細長い支持部材のそれぞれの端部にそれぞれ配置された１つまたは２つの丸みのあるホルダ部材とを備えている。ホルダ部材は、遠位端部が鼻孔内に向けられ、近位端部が鼻孔開口に隣接する状態で鼻孔内へ挿入されるように適応されている。ホルダ部材は、ワンピースで形成されかつ可撓性材料から形成されており、それぞれ、遠位−近位延びにおける少なくとも１つの平面内でベル形の横断面を有している。さらに、各ホルダ部材は、丸みのある遠位部分と、開放した近位部分であって、近位部分の外周に沿って周方向に配置されかつホルダ部材から半径方向外方へ延びている外側リムを有する、近位部分と、遠位部分と近位部分との間に配置された中間ウェスト部分と、を有している。中間部分は、各遠位部分および近位部分のそれぞれの最大外周よりも小さい、遠位−近位方向に対して本質的に横方向の平面内に少なくとも１つの外周を有している。
【図面の簡単な説明】
【００１４】
【図１】図１ａ〜図１ｄは、鼻用装置の様々な図を示している。
【図２】図２ａ〜図２ｈは、別の鼻用装置の様々な図を示している。
【図３】図３ａ〜図３ｄは、別の鼻用装置の様々な図を示している。
【図４】図４ａ〜図４ｄは、さらに別の鼻用装置の様々な図を示している。
【図５】鼻用装置が鼻の鼻孔内に配置されるようにどのように適応されているかを概略的に示す図である。
【図６ａ】静電フィルタ部材をさらに有する、図１ｂに示した鼻用装置の平面Ａ−ＡまたはＡ’−Ａ’に沿った断面図である。
【図６ｂ】静電フィルタ部材をさらに有する、図１ｂに示した鼻用装置の平面Ｂ−Ｂに沿った断面図である。
【図７ａ】機械的なフィルタ部材をさらに有する、図１ｂに示した鼻用装置の平面Ａ−ＡまたはＡ’−Ａ’に沿った断面図である。
【図７ｂ】機械的なフィルタ部材をさらに有する、図１ｂに示した鼻用装置の平面Ｂ−Ｂに沿った断面図である。
【図８ａ】鼻孔内に配置された鼻用装置の断面側面図である。
【図８ｂ】鼻孔内に配置された鼻用装置の断面正面図である。
【図９】図９ａ〜図９ｃは、異なる形状の鼻孔を有する鼻の下側から見た鼻用装置のホルダ部材の斜視図である。図９ｄは、鼻の下側から見た鼻用装置の斜視図である。
【図１０】図１０ａおよび図１０ｂは、図１ｂに示した鼻用装置の平面Ｂ−Ｂに沿った断面図である。
【図１１】図１１ａ〜図１１ｄは、別の鼻用装置の様々な図を示している。
【図１２】図１２ａ〜図１２ｄは、別の鼻用装置の様々な図を示している。
【図１３】図１３ａ〜図１３ｄは、さらに別の鼻用装置の様々な図を示している。
【図１４】図１４ａおよび図１４ｂは、鼻用装置の製造中の成形ツールおよび鼻用装置の２つの例を示している。
【図１５】２つの異なる鼻用装置の断面図を示している。
【図１６】２つの異なる鼻用装置の断面図を示している。
【発明を実施するための形態】
【００１５】
本発明は、エアフィルタを備える、ストッパとして、薬剤またはその他の物質を使用者に投与するため、呼吸を容易にするためなどの様々な用途のための鼻用装置である。鼻用装置は、小さく、便利であり、分離しているが、同時に、確実な取付けおよび鼻孔内の最小限の刺激と共に、鼻孔開口に対して有効なシーリングを提供するように設計されている。
【００１６】
図１ａには、鼻孔内に挿入されたときの一般的な構成における鼻用装置の第１の態様が示されている。特に、鼻用装置は、半剛性の、細長い支持部材２を有している。支持部材２の両端部には、２つの丸みのあるホルダ部材３が設けられており、各丸みのあるホルダ部材の閉鎖端部４は、それぞれの鼻孔内に遠位に挿入されるように適応されている。対応して、各丸みのあるホルダ部材３の開放端部は、近位端部と呼ばれ、鼻孔内に挿入されたとき、鼻孔開口に、すなわち鼻の外側に向かって配置されるように適応されている。図１ｂは、遠位方向から見た鼻用装置を示している。略近位−遠位方向に配置された２つの図示の平面ＡおよびＡ’は、例示のように、互いに対して所定の角度で配置されていてもよいし、以下でさらに詳述するように略平行な形式で配置されていてもよい。
【００１７】
支持部材２は、最初は本質的に直線状であり、鼻孔内に挿入されたとき、ホルダが例えば図１に示した構成に適応するように屈曲可能であってもよい。すなわち、使用前の鼻用装置の初期構成は図１ａに示したようなものであってもよいし、代替的に、細長い支持構造２が本質的に直線状であり、２つのホルダ部材３の閉鎖端部４が本質的に反対方向を向いている構成（図示されていない）であってもよい。初期構成は、図２ｂに示す図と同様に、遠位方向から見たときに平行な構成で配置された、すなわち互いに平行な平面ＡおよびＡ’を備える、ホルダ部材３を備えていてもよい。
【００１８】
支持部材２は、少なくとも鼻用装置が鼻孔内に挿入されたとき、好ましくは略Ｕ字形である。支持部材２は、図１ａの一般的な構成においてホルダ部材３を保持するように適応されていてもよいが、好ましくは、使用中に鼻用装置を適所に保持するために鼻中隔にクリップ留めされるように適応されていてもよい。図面のうちの多くにおいて、支持部材２は、各ホルダ部材３の側壁の内側に取り付けられて示されている。しかしながら、支持部材２は、代替的に、近位端部に隣接している、遠位端部の内側に隣接しているなど、ホルダ部材３の他の位置に取り付けられていてもよい。別の代替例として、支持部材は、図４ａ〜図４ｄに関連して以下で説明するように、ホルダ部材と一体的に形成されていてもよい。図２ａ〜図２ｈ、図３ａ〜図３ｄおよび図４ａ〜図４ｄは、別の鼻用装置を示している。これらの装置は、図１ａ〜図１ｄに関して説明したものと同じ特徴の多くを有しており、鼻用装置は、説明した特徴のあらゆる適合可能な組合せを有していてもよいことが理解される。しかしながら、例示目的のために、選択された幾つかの変形態様のみが示されている。明示的に述べられない限り、類似の特徴は類似の機能を有するものと理解される。
【００１９】
図２ａ〜図２ｄは、別の鼻用装置３１をそれぞれ斜視図、遠位図、正面図および側面図で示している。鼻用装置３１は、上述の鼻用装置と同様に、支持部材３２と、丸みのある遠位端部３４を備える２つの丸みのあるホルダ部材３３と、開放した近位端部とを有している。
【００２０】
図２ｂは、遠位方向から見た鼻用装置を示している。略近位−遠位方向に配置された２つの図示の平面ＡおよびＡ’は、上述のように、互いに対して所定の角度で配置されていてもよいし、図２ｂに示したように略平行な形式で配置されていてもよい。
【００２１】
図２ｅ〜図２ｈは、鼻用装置３１の別の変形態様をそれぞれ斜視図、遠位図、正面図および側面図で示している。
【００２２】
図３ａ〜図３ｄは、別の類似の鼻用装置４１をそれぞれ斜視図、遠位図、正面図および側面図で示している。鼻用装置４０は、図１ｂ、図２ｂまたは図２ｆに観察されるような鼻用装置のものよりも、図３ｂに最も良く示されているように、遠位方向から見たときに全体的なより丸みのある形状を有している。ホルダ部材の形状のこの態様を以下でさらに詳細に説明する。
【００２３】
図４ａ〜図４ｄは、別の類似の鼻用装置５１をそれぞれ斜視図、遠位図、正面図および側面図で示している。ここでは、支持部材５２は、支持部材５２を形成するように、特に他方のホルダ部材５３に面した側においてリム５８の一部を延長することによって、ホルダ部材５３と一体的に形成されている。好ましくは、図４ｃおよび図４ｄに示すように、２つの隣接するホルダ部材５３の外側リム５８の本質的に平坦な延びが、湾曲した支持部材５２を形成している。
【００２４】
一態様では、ホルダ部材３，３３，４３，５３は、好ましくは、ワンピースで形成されており、別の態様では、２つのホルダ部材と、支持部材２，３２，４２，５２とは、全て単一の一体的な部材として成形または形成されている。少なくともホルダ部材の材料は、好ましくは、生体適合性の可撓性ポリマーである。材料の非限定的な例は、シリコーンエラストマー、熱可塑性エラストマー（ＴＰＥ）、ポリエチレン（ＰＥ）、ポリエチレンテレフタレート（ＰＥＴ）、ポリ塩化ビニル（ＰＶＣ）、ポリウレタン（ＰＵＲ）、フルオロポリマー（ＰＴＦＥ，ＦＥＰ，ＰＦＡ，ＥＦＴＥ，ＥＣＴＦＥ，ＰＶＤＦ）、ポリアミド（ＰＡ）、ポリプロピレン（ＰＰ）、ポリスチレン（ＰＳ）、ポリ乳酸（ＰＬＡ）、ポリカーボネート（ＰＣ）、ポリエーテルエーテルケトン（ＰＥＥＫ）である。さらに、ホルダ部材３および／または支持部材２の材料は、澱粉ベース材料などのセルロースベース材料、例えば、ポリ乳酸（ＰＬＡ）プラスチックまたはポリヒドロキシアルカノエート（ＰＨＡ）プラスチックであってもよい。選択的に、材料は、形状記憶材料（ＳＭＭ）、例えば形状記憶ポリマー（ＳＭＰ）であってもよい。
【００２５】
好ましくは、材料は、鼻用装置が鼻の中に適用されたときに本質的に見えないように透明または肌色の材料である。しかしながら、材料は、鼻用装置がコントラストをなす色または特定のパターンを有するように選択されることも考えられる。
【００２６】
支持部材は、例えば、上記の材料によって被覆された金属ワイヤコアによって強化されていてもよい。このような強化された支持部材を有する鼻用装置は、幾つかの用途では、より確実な密着性を得るために有効であることがある。
【００２７】
上記の異なる鼻用装置において説明された各ホルダ部材３，３３，４３，５３は、遠位−近位延びにおける少なくとも１つの平面内でベル形の横断面を有している。上述のように、図１ａ、図２ａ、図２ｅ、図３ａおよび図４ａは、各鼻用装置の斜視図を示している。さらに、図１ｃ、図２ｃ、図２ｇ、図３ｃおよび図４ｃは、各鼻用装置を正面図で示しており、図１ｄ、図２ｄ、図２ｈ、図３ｄおよび図４ｄは、鼻用装置を対応する側面図で示している。これらの図は、ホルダ部材３，３３，４３，５３が、概して丸みのあるまたはベル形の輪郭を有することを示しており、例示の目的で、３つの異なる一体的に形成された部分、すなわち、丸みのある遠位部分５と、開放した近位部分７と、遠位部分５と近位部分７との間に配置された中間ウェスト部分９とを有するものとして観察されてもよい。中間部分９は、少なくとも遠位上部５と比較して、狭まったウェスト部分を形成している。言い換えれば、中間部分９は、少なくとも遠位部分５のそれぞれの最大外周よりも小さい、遠位−近位方向に対して本質的に横方向の平面内に少なくとも１つの外周を有している。好ましくは、中間部分９は、近位部分７のそれぞれの最大外周よりも小さい、遠位−近位方向に対して本質的に横方向の平面内に少なくとも１つの外周も有している。これは、図面において、ホルダ部材３，３３，４３，５３の狭まった中間部分９として観察される。
【００２８】
さらに、丸みのあるホルダ部材３，３３，４３，５３の可撓性のリム８，３８，４８，５８であって、近位部分７の外周の周囲に周方向に配置されているリムは、本質的に半径方向外方へ突出するように適応されており、これによりホルダ部材３，３８，４８，５８、ひいては鼻用装置１，３１，４１，５１は、鼻孔開口に対して密にシールされる。好ましくは、リム８，３８，４８，５８は、近位部分７に一体的に形成されている。この形式において、鼻用プラグが鼻孔開口に挿入されると、貫通孔が設けられている場合、鼻用装置を通過するあらゆる空気は、以下でさらに詳述するように、本質的にホルダ部材のみを通過するように方向付けられる。リムは、ホルダ部材の全体輪郭の鼻孔開口に対するシーリング効果を高め、これにより、ホルダ部材は、鼻孔開口内で本質的に気密形式で適所にしっかりと保持される。さらに、好ましくは、リムは、鼻孔内の低下した空気圧力により、使用者が吸入したとき鼻孔開口に対する鼻用装置の外側の気密シーリングを提供する。図５は、鼻１０に配置された鼻用装置の斜視図を示しており、この図では、支持部材２，３２，４２，５２の一部と、近位部分７のリム８，３８，４８，５８のみが外側から実質的に見えていることが分かる。中間部分９の狭まった輪郭の１つの利点は、図５に示したように、鼻孔開口内に配置されたとき、ホルダ部材３，３３，４３，５３が、狭まった中間セクション９のために適所に有効に保持されるということである。なぜならば、より広い遠位部分５が鼻孔開口の内側に配置され、より広い近位部分７のリム８が鼻孔から突出するからである。さらに、この形状は、ホルダ部材３，３３，４３，５３の外側を通過する空気に対する有効なシーリングを提供する。なぜならば、中間セクション９が、鼻孔の全体的な形状に十分に適応しているからである。適応可能性のさらなる詳細を以下にさらに説明する。
【００２９】
前述のように、鼻用装置は、鼻孔開口内の配置のために適応されている。ホルダ部材の形状は、鼻用装置が鼻孔内へさらに入り込むことを防止する。したがって、鼻用装置は、鼻孔の内面との最小限の接触を有しており、よって、鼻通路を刺激したり不快感を生じたりするリスクを最小限に減らす。さらに、鼻用装置は、吸入した空気を温めかつ湿らすなどの、鼻孔の自然の機能を損なうことはなく、鼻通路の内面に存在する鼻毛に影響を与えたり刺激したりすることを本質的に回避する。加えて、支持部材は、ホルダ部材を適所に保持することを助ける。したがって、ベル形輪郭と突出した外側リムとの組合せは、鼻孔内の刺激のリスクを最小限にして、鼻孔開口における快適かつ確実な密着性を提供する。
【００３０】
一態様では、丸みのある部分５の遠位面には、空気が遠位部分を通過することを可能にするように適応された１つまたは複数の貫通孔６，３６，４６，５６が設けられていてもよい。その例は、図１ｂ，図２ｂ，図２ｆ，図３ｂおよび図４ｂにおける遠位図において観察される。これらの貫通孔は、空気が遠位部分を通過し、これにより、鼻用装置の内側から外側へまたはその逆に通過することを可能にする。これは、鼻用装置が鼻孔開口に配置されたときに空気が鼻孔を通って自由に流れることを可能にし、さらに、以下でより詳細に説明するように、ホルダ部材内のフィルタ部材のための支持を提供してもよい。貫通孔６，３６，４６，５６のセットは、メッシュ構造によって、または、例えばハニカム形状の孔、花弁形の孔、円形の孔、正方形または矩形の孔、楕円形の孔、三角形の孔などの、ただしこれらに限定されない、異なるパターンで配置された複数の孔によって形成されていてもよい。幾つかの好ましい構造が、鼻用装置の遠位図を示す図１ｂ、図２ｂ、図２ｆおよび図３ｂに最も良く示されている。例示された孔構造は、孔の間の最小限の材料ならびに快適な密着性および丸みのある形状により、有効な空気流を提供する。
【００３１】
代替例として、以下でさらにより詳細に説明するように、丸みのある遠位部分５に、１つのより大きな貫通孔が設けられていてもよいし、全く孔が設けられていなくてもよい。
【００３２】
幾つかの態様では、ホルダ部材３３，４３，５３の遠位部分５は、さらに、遠位−近位延びに対して本質的に垂直な方向に配置された１つまたは複数の貫通アクセス孔１００を有していてもよい。これらのアクセス孔１００は、以下でさらに詳細に説明する製造法の結果である。しかしながら、これらの孔は、上記で遠位貫通孔６，３６，４６，５６に関して説明したように、使用時に鼻用装置を通るさらなる空気流も提供する。
【００３３】
例えば、図１ｂ，図２ｂおよび図２ｆにも観察されるように、各ホルダ部材は、僅かに長円形または楕円形を有していてもよいし、図３ｂに観察されるように、より丸みのある形状を有していてもよい。これらの形状は、僅かに変形可能な／弾性の材料と組み合わされて、鼻孔の異なる形状に対する適応可能性を有するホルダ部材３，３３，４３，５３を提供し、これにより、１つのサイズの鼻用装置のより広い範囲の使用を提供する。これは、以下でさらに詳述する。
【００３４】
さらに、２つのホルダ部材３は、互いの関係における２つの鼻孔の向きに従うように、互いに関して角度を付けて配置されていてもよい。これは、図１ｂに２つの平面ＡおよびＡ’として示されており、これらの平面は、互いに対して１〜４０度の範囲内、１０〜３５度の範囲内または２０〜３０度の範囲内で配置されていてもよい。しかしながら、鼻用装置には、互いに平行に配置された２つのホルダ部材３が設けられていてもよい。これは、図２ｂ、図２ｆ、図３ｂおよび図４ｂに、好ましくは互いに本質的に平行に配置された２つの平面ＡおよびＡ’として示されている。特に、使用中、可撓性材料の使用により、互いに対するホルダ部材の角度が、使用者の鼻孔内に挿入されたとき、必要に応じて調節されてもよい。
【００３５】
鼻用装置、特にホルダ部材３，３３，４３，５３の全体形状は、使用者の鼻孔内で使用および適用することが容易であり、かつ鼻孔開口に確実に固定される鼻用装置を提供する。さらに、この構成は、遠位部分５に貫通孔を有する鼻用装置のために、空気流を最小限にのみ阻止することによって、鼻孔内に挿入されたときに使用者による有効な呼吸を可能にする。加えて、ホルダ部材３は、特に使用者が吸入したとき、鼻孔開口に対して密にシールされる。同時に、狭まったウェストセクションを備えるホルダ部材のベル形状により、鼻用装置は、使用中に鼻孔開口内で適所に有効にとどまる。
【００３６】
上述のような鼻用装置１は、以下で詳述するように、フィルタ部材と一緒に使用されてもよい。例えば、水泳目的のために、部材を通る空気のいかなる流れも防止するために、フィルタ部材は、ストッパ部材と共にまたはストッパ部材として使用されてもよい。フィルタ部材は、以下でさらに詳述する、例えば使用者の鼻孔を通流する空気を処理するための、その他のタイプのインサートまたはアタッチメントと共に使用されてもよい。
【００３７】
図６ａおよび図７ａは、図１ｂに示した鼻用装置の平面Ａ−ＡまたはＡ’−Ａ’に沿った断面図を示している。図６ｂおよび図７ｂは、図１ｂに示した鼻用装置の平面Ｂ−Ｂに沿った断面図を示している。以下は、本明細書で説明されるあらゆるその他の鼻用装置にも該当する。図６ａ、図６ｂ、図７ａおよび図７ｂに観察されるように、鼻用装置１は、さらに、遠位部分５の内面に対して配置されたフィルタ部材２０，２１を有していてもよく、これにより、鼻用装置１を通過する本質的に全ての空気が、フィルタを通るように方向付けられる。上述のように、遠位部分は、空気が通過するための貫通孔６のセットを有している。これらの図では、フィルタは、遠位部分５の内面に接触して配置されるように示されている。フィルタは、図６ａおよび図６ｂに示した突出部２２などの、内側突出部によって適所に保持されていてもよい。これらの突出部２２は、ホルダ部材３の内周に沿って連続的（すなわち、リム）または断続的であってもよい。図６ｂに観察されるように、フィルタ部材は、支持部材２の遠位部分に対して当接するように、または支持部材２の遠位部分によって適所に保持されるように配置されていてもよい。さらに、鼻用装置は、対応して、本明細書に説明された貫通孔を備えるあらゆるその他のホルダ部材、例えば、図２ｂ、図２ｆ、図３ｂ、図４ｂ、図１１ｂまたは図１３ｂのホルダ部材に示したようなホルダ部材の遠位部分５の内面に対して上記の形式で配置された、フィルタ部材２０，２１を有していてもよい。
【００３８】
フィルタ部材は、ホルダ部材内、好ましくは遠位部分５内にその他の形式で配置されてもよい。例えば、内側突出部がホルダ部材内に設けられてもよく、これにより、フィルタ部材は、このような突出部の近位側に隣接して設けられてもよいし、このような突出部の近位側に対して当接していてもよい。このような配置の一例を図１０および図１０ｂに関連して説明する。さらに、以下で説明するように、フィルタ部材２６はホルダ部材と一体に形成されていてもよい。
【００３９】
フィルタ部材２０，２１，２６は、静電フィルタ、機械式フィルタ、フリンマーフィルタ、サブミクロンフィルタまたはナノフィルタを含むが、これらに限定されないあらゆるタイプの空気フィルタであってよい。フィルタ部材は、粒子状汚染物質、異なるタイプのほこりまたは生物学的汚染物質をろ過するように適応されていてもよい。より具体的には、フィルタ部材は、すす、タバコスモーク、オイルスモーク、フライアッシュ、セメントダスト、浮遊した大気ダスト、ヘビーダスト、砂、スモッグ、ポリューション、オイルミスト、タバコスモークまたはダスト、冶金学的ダスト、農薬、気体分子、動物アレルゲンまたはハウスダストダニアレルゲンなどのアレルゲン、カビ胞子、花粉、化学的蒸気、臭気などを捕捉するように適応されていてもよい。空気によって運ばれる病気から使用者を保護する必要性もあるかもしれず、フィルタ部材は、微生物、ウィルスまたはその他のタイプの病原体をろ過するために設けられていてもよい。フィルタ部材２０，２１，２６は、直径が０．０１ナノメートル以上のサイズ範囲の粒子をろ過するように適応されていてもよい。図６ａおよび図６ｂは、静電フィルタなどの薄いタイプのフィルタ２０を備える鼻用装置を示している。図７ａおよび図７ｂは、機械式フィルタなどのより厚いまたはより三次元的なフィルタ２１を備える鼻用装置を示している。特に、鼻用装置は、同時に同じまたは異なるタイプの２つ以上のフィルタ部材と共に使用されてもよい。２つ以上のフィルタ部材は、時間が経過するにつれて互換的に使用されてもよい。鼻用装置は、使用者によって吸入された空気を加湿または除湿するように適応された適切な材料から形成されたフィルタ部材またはその他の部材と共に使用されてもよい。
【００４０】
幾つかの態様では、フィルタ部材２０，２１は、ホルダ部材の内側形状に適応可能な可撓性材料を含む。さらに、フィルタ部材２０，２１は、ホルダ部材３の内側形状に適合するように、全体的な長円形または楕円形で設けられていてもよい。幾つかの態様では、フィルタは、レーザ切断またはその他の切断技術によって形成されてもよい。幾つかの態様では、フィルタ２０，２１の強化されたまたは硬いエッジを生成する切断技術が使用されてもよく、これは、ホルダ部材３の内側におけるより良い密着性を提供することがある。
【００４１】
ホルダ部材３およびホルダ部材内に配置されるあらゆるフィルタの丸みのある遠位形状の利点は、呼吸空気に曝される表面領域が、平坦なフィルタ面を使用するのと比較して増大されるということである。これは、使用者の呼吸能力を妨げずに、鼻用装置１を通過する空気のろ過を強化する。
【００４２】
一態様では、フィルタ部材２０，２１は、中間部分９において半径方向内方へ延びる内周リム２４を本質的に形成する、狭まった中間部分９によって適所に保持されている。狭まった中間部分９は、好ましくは、フィルタ部材２０，２１を適所に保持するために、ホルダ部材３におけるフィルタ部材２０，２１の圧入配置と組み合わされて機能する。
【００４３】
別の態様では、フィルタ部材２０，２１はアタッチメント部材によって適所に保持されている。アタッチメント部材は、ピン、ねじ山、のりもしくは接着剤、フレームもしくはホルダ、または支持部材２の延長部の非限定的な例のいずれかであってもよい。フィルタ部材は、空気が吐き出されたときにフィルタ部材の少なくとも一部を自由に移動させるように取り付けられていてもよく、基本的に逆止弁として機能する。このような配置において、フィルタ部材は、鼻用装置を通過する全ての空気が、使用者が吸入したときにフィルタ部材を通って方向付けられるように配置されていてもよく、吸入される空気の有効なろ過を保証する。使用者が吐き出すとき、空気の少なくとも一部は、フィルタ部材の周囲または外側を通過する。これらの基準を満たすあらゆる配置が使用されてもよい。一例として、フィルタ部材は、使用者が吸入したときホルダ部材の内面に対して密に押し付けられるように配置されており、使用者が吐き出したときより緩く配置されるように適応されていてもよい。別の例が、図１０ａおよび図１０ｂに示されている。図６ｂおよび図７ｂに示した鼻用装置と同様に、図１０ａおよび図１０ｂは、図１ｂに示した鼻用装置の平面Ｂ−Ｂに沿った断面図を示している。しかしながら、以下は、本明細書に説明された貫通孔を備えるあらゆるその他のホルダ部材、例えば、図２ｂ、図２ｆ、図３ｂ、図４ｂ、図１１ｂまたは図１３ｂのホルダ部材において適用されてもよい。
【００４４】
上述のように、鼻用装置１は、さらにフィルタ部材２０を有している。ここでは、フィルタ部材は、ピン２５を用いて適所に保持されており、ピン２５は、ピン２５の遠位端部においてホルダ部材３の遠位端部に取り付けられており、ピン２５の近位端部においてフィルタ部材２０に取り付けられている。図１０ａは、初期状態および鼻用装置を鼻孔内に適用した使用者が吸入したときの構成を示しており、フィルタ部材２０は、ホルダ部材３の遠位端部の内側に沿って配置された突出部２３に対して当接している。したがって、鼻孔に進入する全ての空気はフィルタ部材２０を通過する。しかしながら、図１０ｂに示されているように、使用者が吐き出したとき、近位方向に通過する空気は、フィルタ部材２０のエッジを、突出部２３から離れるように押し付け、これにより、空気は、フィルタ部材２０を通過し、また、フィルタ部材２０の周囲も通過する。
【００４５】
一部の使用者は、このような逆止弁配置を使用して、向上した呼吸能力を感じることがある。
【００４６】
本明細書に開示されたあらゆる態様による鼻用装置が、どのように有利には鼻孔開口に密着するように適応されているかをさらに示すために、図８ａは、図６ａおよび図６ｂに示した鼻用装置の断面側面図を示している。図８ｂは、鼻用装置を断面正面図で示している。各ホルダ部材３は、鼻１０の鼻孔開口１１に密着し、これにより、より広い遠位端部５が鼻孔の内側に配置され、近位部分、特にリム８は、鼻孔から外方へ突出して配置される。図８ｂでは、支持部材２が、鼻孔内で鼻への鼻用装置のさらなる固定を提供することがさらに観察される。
【００４７】
図９ａ〜図９ｄは、さらに、異なる形状の鼻孔内への鼻用装置、特にホルダ部材３，３３，４３，５３の適応可能性を示している。これらの図は、鼻の下側から、すなわち近位方向から見た斜視図を示している。鼻用装置は、異なる長円または円形で提供されていてもよいが、その例は、図１ａ、図２ａおよび図３ａに観察されてもよく、鼻用装置の形状の適応可能性は、鼻用装置の多くの異なるサイズおよび形状を提供する必要性を最小限に減じる。図９ａは、例えば、図１ａ、図２ａまたは図２ｆに示したように、鼻用装置の長円形のホルダ部材の初期形状を示している。図９ｂは、細長い形状を有する鼻孔１１へ挿入されたときの同じホルダ部材を示している。図９ｃは、丸みのある形状を有する鼻孔１１へ挿入されたときの同じホルダ部材を示している。ホルダ部材の形状は、変形可能でありかつ可撓性材料から形成されていることと組み合わせて、本質的にあらゆる鼻孔形状に適応することができる。使用者は、例えば、必要に応じて形状を容易に適応させるためにホルダ部材をあらゆる方向に僅かに押し潰すことができる。図９ｄは、同じ視点から見た２つのホルダ部材３および支持部材２を備える鼻用装置を示している。
【００４８】
幾つかの態様では、支持部材は、上記の鼻用装置のいずれかにおいて説明したように、長さが調節可能であってもよく（図面には示されていない）、これにより、鼻用装置は、鼻および鼻孔の異なるサイズおよび形状に、より適応可能となる。支持部材は、複数の異なるプリセットされた長さで提供されてもよい。
【００４９】
図１１ａ〜図１１ｄ、図１２ａ〜図１２ｄおよび図１３ａ〜図１３ｄは、別の鼻用装置を示している。これらの装置は、図１〜図４に関して説明したものと同じ特徴の多くを有しており、鼻用装置が、説明された特徴のあらゆる適合可能な組み合わせを有していてもよいことが理解される。しかしながら、例示目的のために、選択された幾つかの変形態様のみが示されている。明示的に述べられない限り、類似の特徴は類似の機能を有するものと理解される。特に、本明細書に記載された全ての鼻用装置は、ベル形の横断面を備えるホルダ部材を有しており、したがって、例えば図５、図８ａ、図８ｂおよび図９ｄに示したように、全てが鼻孔開口における確実でかつ快適な密着性を提供する。
【００５０】
図１１ａ〜図１１ｄは、別の鼻用装置６１をそれぞれ斜視図、遠位図、正面図および側面図で示している。鼻用装置６１は、支持部材６２と、２つの丸みのあるホルダ部材６３と、開放した近位端部７とを有している。リム６８は、上述の鼻用装置と同様に、近位部分７の外縁の周囲に周方向に配置されている。しかしながら、この鼻用装置では、１つの大きな貫通孔６６が、遠位端部５に設けられている。
【００５１】
図１１ｂは、遠位方向から見た鼻用装置６１を示している。略近位−遠位方向に配置された２つの図示の平面ＡおよびＡ’は、上に開示したように、互いに対して所定の角度で、または図１１ｂに示したように略平行な形式で配置されていてもよい。
【００５２】
図１１に示した鼻用装置は、鼻孔拡張装置として使用されてもよく、これにより、鼻を通じて呼吸するための向上した能力を提供することができる。これは、特に、自然に生じるかまたは障害もしくは外傷の結果としての、小さなまたは狭い鼻孔を有する使用者のために有効であることがある。
【００５３】
図１１に示した鼻用装置には、ホルダ部材の側部にエッジが一体化されたまたは成形されたフィルタ部材を含む、本明細書に記載されたあらゆる適合可能な態様によるフィルタ部材が設けられてもよい。したがって、フィルタ部材は、ホルダ部材を通過する全ての空気または空気の選択された部分または一方向のみの空気をろ過するように配置されていてもよい。
【００５４】
図１２ａ〜図１２ｄは、別の鼻用装置７１をそれぞれ斜視図、遠位図、正面図および側面図で示している。鼻用装置７１は、支持部材７２と、２つの丸みのあるホルダ部材７３と、開放した近位端部とを有している。リム７８は、上述の鼻用装置と同様に、近位部分７の外縁の周囲に周方向に配置されている。しかしながら、この鼻用装置は、閉鎖された遠位端部５を有しているという点で前述の鼻用装置とは異なる。すなわち、使用時に、鼻用装置は、鼻孔内でストッパとして機能する。特に、ストッパ部材は、さらなる支持のために、この鼻用装置内に、または本明細書に記載された鼻用装置のいずれかにブロッキング部材を提供することによって、形成されてもよい。ストッパ鼻用装置は、鼻を通じた呼吸または通過が望まれないときに有効であることがある。これは、ウォータースポーツまたは水中でのその他のアクティビティ中である可能性がある。薬剤などを投与する場合など、鼻を通じてではなく、使用者が口を通じて呼吸することを強制するまたは促進するために、医療状況において使用することもできる。
【００５５】
概して近位−遠位方向に配置された２つの図示の平面ＡおよびＡ’は、上に開示したように、互いに対して所定の角度で、または図１２ｂに示したように略平行な形式で配置されていてもよい。
【００５６】
図１３ａ〜図１３ｃは、さらに別の鼻用装置８１をそれぞれ斜視図、遠位図および側面図で示している。鼻用装置８１は、支持部材８２と、２つの丸みのあるホルダ部材８３と、開放した近位端部とを有している。リム８８は、上述の鼻用装置と同様に、近位部分７の外縁の周囲に周方向に配置されている。ホルダ部材８３のうちの少なくとも１つには、１つのより大きな貫通孔８６が設けられている。図１３ｄは、図１３ｂ中の線ＡまたはＡ’に沿った断面図を示しており、この図では、ホルダ部材８３が、貫通孔８６を備える、遠位端部において材料の本質的に中実なピースとして設けられてもよいことが分かる。これにより、空気が、孔８６を介してホルダ部材を通過することができる。このような鼻用装置では、ホルダ部材８６および貫通孔８６は、管またはカップリング部材の取付けのために適応されていてもよい。取付けのためのこのような適応は、例えば、一体化された接続を介するもの、または圧入、ルアーロック、スナップロックまたはねじ山付きねじ部材を介するものであってもよい。ことによると、このような鼻用装置は、酸素またはその他のガス、麻酔剤、薬剤または経鼻投与に適したその他の物質を投与するために有効である。その他の使用例は、鼻孔を洗浄するかつ／または湿らせるために、水、食塩水またはその他の物質を投与することである。
【００５７】
図１３ａおよび図１３ｂでは、両ホルダ部材８３に貫通孔８６が設けられている。しかしながら、図１３に示した１つのホルダ部材８３と、例えば図１２に示した１つのホルダ部材７３とを備える鼻用装置、すなわち、貫通孔を有する１つのホルダ部材と、ストッパ部材の形式の１つのホルダ部材とを備える鼻用装置を提供することも可能である。これは、一方の鼻孔における物質の投与を向上させるために有効である。なぜならば、他方の鼻孔が閉鎖されながら、管が一方の鼻孔に接続されるからである。
【００５８】
本明細書に開示された各鼻用装置は、同じタイプの２つのホルダ部材を有するように示されているが、１つの鼻用装置において２つの異なるタイプのホルダ部材３，３３，４３，５３，６３，７３，８３を互いに組み合わせることも考えられる。管の取付けのために適応されたホルダ部材８３と組み合わされた、閉鎖されたホルダ部材７３を備える一例が上述されている。別の例は、管の取付けのために適応されたホルダ部材８３と、物質、例えば酸素または麻酔剤を管を通じて同時に投与しながら空気をろ過するためのフィルタ部材２０，２１が設けられたホルダ部材３，３３，４３とを組み合わせた鼻用装置であってもよい。別の例は、２つの鼻孔が異なるサイズまたは形状である状況に適応するために、異なるサイズおよび／または形状を有するホルダ部材を組み合わせることである。さらに別の例は、支持部材を備える１つのホルダ部材のみの使用であり、これにより、１つのホルダ部材は、鼻中隔にクリップ留めされる支持部材によってさらに固定されてもよい。
【００５９】
特に、図１〜図１０に関して説明したホルダ部材と同様に、図１１、図１２および図１３に示したホルダ部材は、略丸みのあるまたはベル形の輪郭を有しており、例示の目的で、３つの異なる一体的に形成された部分、すなわち、丸みのある遠位部分５と、開放した近位部分７と、遠位部分５と近位部分７との間に配置された中間ウェスト部分９とを有するものとして観察されてもよい。中間部分９は、少なくとも遠位上部５と比較して、狭まったウェスト部分を形成している。すなわち、中間部分９は、少なくとも遠位部分５のそれぞれの最大外周よりも小さい、遠位−近位方向に対して本質的に横方向の平面内に少なくとも１つの外周を有している。好ましくは、中間部分９は、近位部分７のそれぞれの最大外周よりも小さい、遠位−近位方向に対して本質的に横方向の平面内に少なくとも１つの外周も有している。これは、図面では、ホルダ部材６３，７３，８３の狭まった中間部分９として観察される。
【００６０】
さらに、可撓性のリム６８，７８，８８は、本質的に半径方向外方へ突出するように適応されており、したがってホルダ部材６３，７３，８３、ひいては鼻用装置３３，４３，５３は、鼻孔開口に対して密にシールされる。好ましくは、リム６８，７８，８８は、近位部分７に一体的に形成されている。リムは、ホルダ部材の全体輪郭の鼻孔開口に対するシーリング効果を高め、これにより、ホルダ部材は、鼻孔開口において本質的に気密形式で適所にしっかりと保持される。さらに、好ましくは、リムは、鼻孔内の低下した空気圧力により、使用者が吸入したとき鼻孔開口に対する鼻用装置の外側の気密シーリングを提供する。
【００６１】
本明細書に記載された鼻用装置のうちのいずれかに記載された鼻用装置は、さらに、多くの方法で製造されてもよい。鼻用装置を製造する方法の非限定的な例は、射出成形、ダイカスト、注型、３Ｄプリンティング、押出成形、ブロー成形、回転成形、真空成形等を含む。
【００６２】
鼻用装置、例えば図２、図３または図４の鼻用装置を形成するための射出成形のために使用されてもよい型の一例が図１４ａに示されている。図１４ａは、型２００およびその結果得られる鼻用装置の断面図である。例えば、射出成形によって形成された、このようにして得られた鼻用装置の非限定的な例は、例えば、図２ｂ中の線Ａ−ＡまたはＡ’−Ａ’の平面に対応する平面に沿った断面図である図１５に示されている。
【００６３】
鼻用装置、例えば図２、図３または図４の鼻用装置を形成するための射出成形のために使用されてもよい型の別の例が図１４ｂに示されている。図１４ｂは、型２００およびその結果得られる鼻用装置の断面図である。例えば、射出成形によって形成された、このようにして得られた鼻用装置の非限定的な例は、例えば、図２ｆ中の線Ａ−ＡまたはＡ’−Ａ’の平面に対応する平面に沿った断面図である図１６に示されている。
【００６４】
図１４ａおよび図１４ｂに示したように、ホルダ部材３３，４３，５３などのホルダ部材を形成しかつ同時にフィルタ部材２６を一体に取り付けるために、少なくとも２つの別個の部分２００ａ，２００ｂを備える型２００が使用される。ホルダ部材は、好ましくは、同じ型内で支持部材３２，４２，５２（図示せず）とも一緒にワンピースで形成される。
【００６５】
本明細書に開示されたあらゆる鼻用装置による鼻用装置を製造する方法は、所望の鼻用装置に適応された型を提供するステップと、型にフィルタ部材２０，２１，２６を配置するステップと、フィルタ部材が鼻用装置と一体化されるように型に材料を本質的に充填することによって鼻用装置を形成するステップと、を含む。
【００６６】
一態様では、フィルタ部材２０，２１，２６は、切断されていないフィルタ部材として提供され、型は、成形前または成形中に型の上側部分と下側部分とが型に組み立てられたまたは合わせられたときにフィルタを切断するかまたは打ち抜くように適応されている。代替例として、ホルダ部材の形状に予め切断されたフィルタ部材が、成形前に型に配置される。
【００６７】
さらに、方法は、幾つかの態様では、型を充填する前に型内でフィルタ部材２６の遠位側に空所成形部材２００ｃを提供することを含んでもよい。図１４ｂに示されているように、このような空所成形部材２００ｃは、提供された型２００の一体部分であってもよい。しかしながら、空所成形部材２００ｃは、別個の部材として提供され、例えば型を充填する前に型の一方の側から挿入されてもよい。鼻用装置のための所望の材料で型を充填することによって、鼻用装置を形成した後、鼻用装置を型から取り出す前、取り出すと同時または取り出した後、空所充填部材２００ｃが鼻用装置から除去される。図１６に示したように、これは、フィルタ部材２６と、丸みのある遠位部分５の内側との間に空所１０１を形成する。
【００６８】
結果として得られる鼻用装置は、図１６に示したように、遠位−近位延びに対して本質的に垂直な方向に配置された１つまたは複数の貫通アクセス孔１００を有する遠位部分５と、フィルタ部材と遠位端部５の内面との間の内側空所１０１とを備えるホルダ部材３３，４３，５３を有している。アクセス孔１００は、上述のように、鼻用装置の製造中に空所成形部材を提供した結果である。言い換えれば、フィルタ部材２６は、１つまたは複数の貫通アクセス孔１００の近位に配置されている。
【００６９】
フィルタ部材２６と、貫通孔３６，４６，５６を備える遠位端部５との間に空所１０１を提供する利点は、鼻用装置、ひいてはフィルタ部材２６を通る空気の抵抗が小さくなることにより、空気の流れが強化されるということである。可視のアクセス孔１００は、使用者が鼻用装置の挿入方向を識別することをもより容易にすることがある。
【００７０】
しかしながら、空気の流れの強化は、図１５に示したような鼻用装置、すなわち、装置を通る空気の流れが最小限に影響されるように比較的大きな貫通孔３６を備える鼻用装置を提供することによって達成されてもよい。この場合、フィルタは、フィルタ部材２６の周囲で一体に接続され、好ましくは、また付加的に、本質的に全ての貫通孔３６の周囲に沿ってホルダ部材の遠位端部に取り付けられているかまたは一体化されている。これは、ホルダ部材へのフィルタ部材の改良された取付けを提供する。
【００７１】
本明細書に記載された鼻用装置は、さらに、鼻用装置の少なくとも一部の表面の材料に分散されたまたは表面に配置された放出可能な物質を含んでいてもよい。物質は、鼻用装置を通じて使用者によって吸い込まれてもよいし、かつ／または、拡散または気化によって投与されてもよい。放出可能な物質は、鼻用装置自体の材料内に混合されていてもよいし、あらゆる公知の技術を用いて装置の全部または一部にコーティングされていてもよい。フィルタ部材２０，２１は、所望の物質に浸す、所望の物質を噴霧する、所望の物質へ落とすまたは沈めることによって、組立て前に準備されてもよい。
【００７２】
放出可能な物質は、ホルダ部材、支持部材およびフィルタ部材のうちの１つまたは複数に配置されていてもよい。放出可能な物質は、使用者に心地よい香りを提供する芳香剤または香水であってもよい。物質は、メントールまたはその他のアピールする芳香剤であってもよい。さらに、放出可能な物質は、医療用化合物または医療用組成物であってもよい。別の例として、放出可能な物質は、鼻孔を湿らせるための水または食塩水であってもよい。
【００７３】
本発明は、上述の好ましい実施形態に限定されない。様々な代替例、変形態様および均等物が用いられてもよい。したがって、上記の実施形態は、添付の請求項によって規定される本発明の範囲を限定するものとして解されるべきではない。
【図１ａ】
2020519421.tif 000003
【図１ｂ】
2020519421.tif 000004
【図１ｃ】
2020519421.tif 000005
【図１ｄ】
2020519421.tif 000006
【図２ａ】
2020519421.tif 000007
【図２ｂ】
2020519421.tif 000008
【図２ｃ】
2020519421.tif 000009
【図２ｄ】
2020519421.tif 000010
【図２ｅ】
2020519421.tif 000011
【図２ｆ】
2020519421.tif 000012
【図２ｇ】
2020519421.tif 000013
【図２ｈ】
2020519421.tif 000014
【図３ａ】
2020519421.tif 000015
【図３ｂ】
2020519421.tif 000016
【図３ｃ】
2020519421.tif 000017
【図３ｄ】
2020519421.tif 000018
【図４ａ】
2020519421.tif 000019
【図４ｂ】
2020519421.tif 000020
【図４ｃ】
2020519421.tif 000021
【図４ｄ】
2020519421.tif 000022
【図５】
2020519421.tif 000023
【図６ａ】
2020519421.tif 000024
【図６ｂ】
2020519421.tif 000025
【図７ａ】
2020519421.tif 000026
【図７ｂ】
2020519421.tif 000027
【図８ａ】
2020519421.tif 000028
【図８ｂ】
2020519421.tif 000029
【図９ａ】
2020519421.tif 000030
【図９ｂ】
2020519421.tif 000031
【図９ｃ】
2020519421.tif 000032
【図９ｄ】
2020519421.tif 000033
【図１０ａ】
2020519421.tif 000034
【図１０ｂ】
2020519421.tif 000035
【図１１ａ】
2020519421.tif 000036
【図１１ｂ】
2020519421.tif 000037
【図１１ｃ】
2020519421.tif 000038
【図１１ｄ】
2020519421.tif 000039
【図１２ａ】
2020519421.tif 000040
【図１２ｂ】
2020519421.tif 000041
【図１２ｃ】
2020519421.tif 000042
【図１２ｄ】
2020519421.tif 000043
【図１３ａ】
2020519421.tif 000044
【図１３ｂ】
2020519421.tif 000045
【図１３ｃ】
2020519421.tif 000046
【図１３ｄ】
2020519421.tif 000047
【図１４ａ】
2020519421.tif 000048
【図１４ｂ】
2020519421.tif 000049
【図１５】
2020519421.tif 000050
【図１６】
2020519421.tif 000051
【国際調査報告】
2020519421.tif 000052
2020519421.tif 000053
2020519421.tif 000054